Podtech/llm-jp-corpus-v4-ja_patent huggingface dataset:
(57)【要約】      （修正有）【課題】着物をユニフォームとして使用する職場において着易く時間の短縮を図る。【解決手段】着物本体を上下に分け上着において上前を面ファスナー合わせとし、下前はウエスト位置を穴ゴムにし、体に馴染みやすく脱着し易くし、又、伊達衿装着用ボタンを付け、好みの衿の組み合わせも可能としている。【選択図】図２
0003134575.tif 000002
【実用新案登録請求の範囲】
【請求項１】
本来の着物を上下に分け、上着は上前に面ファスナーを施し、下前はウエスト位置を穴ゴムで体に馴染みやすく脱着し易くなっており、又、伊達衿装着用ボタン付きで好みにより衿の組み合わせが可能となっている事が特徴の着物
【考案の詳細な説明】
【技術分野】
【０００１】  本考案は上下を二部式に分けた着物に関するものである。
【背景技術】
【０００２】着物をユニフォームとしている職場において脱着作業においては着付けの知識の有無等により時間のかかる作業であった。
【考案の開示】
【考案が解決しようとする課題】
【０００３】作業性を重視する職場において着物の脱着にかかる時間は非常に不効率である。従って着物自体を上下に分けて脱着し易い様、機能部分もつけて不慣れな方にも時間の短縮の解決しようとしたもの。
【課題を解決するための手段】
【０００４】本考案は上着本体の上前にマジックテープを使用した合わせ止めとし、下前はウエスト位置に穴ゴムを使用し、体に馴染み、フィット感を出し、動きやすく且つ脱着し易くした。    又、伊達衿だけを脱着したい場合に備え、衿をボタン付きに脱着を可能とした。
【考案の効果】
【０００５】上述の様に上下に着物を分ける事により脱着の作業がし易くなる事は勿論、上下其々のみの補充、伊達衿のみの補充、好みの組み合わせ、洗濯を可能とし利便性としても効果を発揮する。
【実施例】
【０００６】以下、添付画面に従って一実施例を説明する。  １は面ファスナーとし、脱着がし易くなっている。２のウエスト位置は穴ゴムで体に馴染みやすく動き易くなっている。３の伊達衿は脱着可能となっており、好みの組み合わせや洗濯を可能としている。
【図面の簡単な説明】
【０００７】
【図１】本考案の二部式着物の上着の一実施例を示す正面図である。
【図２】本二部式着物の上着の前を開いた図面である。
【符号の説明】
【０００８】１    伊達衿
２    ウエスト位置穴ゴム
３    面ファスナー
【図１】
0003134575.tif 000003
【図２】
0003134575.tif 000004
【手続補正書】
【提出日】平成19年4月18日(2007.4.18)
【手続補正１】
【補正対象書類名】実用新案登録請求の範囲
【補正対象項目名】全文
【補正方法】変更
【補正の内容】
【実用新案登録請求の範囲】
【請求項１】
着物を上下に分け、上着は上前に面ファスナーを施し、下前はウエスト位置を穴ゴムで体に馴染みやすく脱着し易くなっており、又、伊達衿装着用ボタン付きで好みにより衿の組み合わせが可能となっている事が特徴の着物
【手続補正２】
【補正対象書類名】明細書
【補正対象項目名】０００４
【補正方法】変更
【補正の内容】
【０００４】本考案は上着本体の上前に面ファスナーを使用した合わせ止めとし、下前はウエスト位置に穴ゴムを使用し、体に馴染み、フィット感を出し、動きやすく且つ脱着し易くした。又、伊達衿だけを脱着したい場合に備え、衿をボタン付きにし、脱着を可能とした。
(57)【要約】      （修正有）【課題】災害によって路面状態が良くない道路や歩道など数キロの距離を安全に搬送される者、又、搬送する者の両者にとって負担が少なく、困難を強いられることのない搬送手段の確保。【解決手段】車輪付きの台車部４と、台車の上部に着脱可能な中間構造部３と、中間構造部の上部に着脱可能な担架１とからなる搬送装置であって、車輪付きの台車部は、重量物搬送用のやや大きめな車輪直径をもつキャスター５を４個、同様に重量物に耐えうる堅固なアルミ材の枠に取り付けた。【選択図】図３
0003134571.tif 000002
【実用新案登録請求の範囲】
【請求項１】
災害時に負傷者、病人、高齢者などを安全に負担少なく医療機関や避難場所へ搬送する人力台車、あるいは上部を取り外し担架として負傷者など歩行困難者の移動に用いる。又、災害時に非常用品など荷物の運搬用台車として使用する。
【請求項２】
平常時には、物を乗せる什器、テーブル、あるいは重量物の運搬台車として活用する。
【考案の詳細な説明】
【技術分野】
【０００１】    この考案は、災害時に負傷者、病人、高齢者などを安全且つ負担少なく搬送できる台車に関する。
【背景技術】
【０００２】    従来の一般的な担架（図１）はキャンバス生地でできており、両端を数人の搬送者がもち運ぶというものである。従って、比較的長距離の搬送の時は、搬送される本人にとっても、又、搬送担当者にとっても大変な肉体的な負担を強いられる。
一方、医療機関及び救急車などで使われるストレッチャー（図２）は負傷者や歩行困難者を自動車まで搬送するのが主であり、歩行困難者のいる場所から搬送用自動車の場所までの移動が使用目的となる。車輪の直径は小さく、路面状態の良くない道路や歩道などを数キロ搬送することには適せず、又、安定度もそれほど高くないと思われる。
【考案の開示】
【考案が解決しようとする課題】
【０００３】    従来の負傷者、病人、高齢者など歩行困難者を搬送するキャンバス布地の担架は数人で持ち移動するが、搬送される本人にとって負担があり、また、数キロの距離を移動する場合担架を搬送する者にとっては大変な肉体的な負担となる。災害時は自家用車による搬送は困難であり、救急車も当てにできない。災害によって路面状態が良くない道路や歩道など数キロの距離を安全に、搬送される者、又、搬送する者の両者にとって負担が少なく、困難を強いられることのない搬送手段の確保が課題である。
【課題を解決するための手段】
【０００４】    以上の課題を解決するために、第一の考案は、担架の機能（歩行困難者を搬送する）と直径のやや大きめな車輪をもち、災害時の路面状態が良くない道路や歩道などを搬送できる台車の機能（運搬車）を備えた車輪付きの歩行困難者用の搬送台車である。
また、第二の考案は、この搬送台車を、平常時には物を乗せる什器、テーブル（長短両用）、あるいは重量物の運搬台車として有効活用できる特徴を持つ。
【考案の効果】
【０００５】    第一の考案は、災害時に負傷者、病人、高齢者など歩行困難者を、安全でしかも負担を少なく、災害によって状態の悪い道路や歩道などを数キロ離れた医療機関や避難場所まで特別な技術や知識を必要とせず、容易に搬送することができる。
第二の考案は、当搬送台車は平常時に什器の一つとして、あるいは運搬用台車として有効活用できる。
【考案を実施するための最良の形態】
【０００６】    この考案の一実施形態を、図３に示す。
この搬送台車は、直径２００ｍｍのキャスターを除き、全てアルミニウム製で、三つの組み立て部分から成り立っている。このうち最大自重は最下段の取り付け台の約２５ｋｇである。最下段はキャスター（４個、内２個はストッパー付き）とその取り付け台、中段は、最下段と最上段を繋ぐ組み枠台、最上段は収納時に２つ折りとなる担架台から成る。ネジ、ワッシャーとナット１６組で全てが組み立てられる。この搬送台車の最大積載荷重はおよそ３００ｋｇである。
【実施形態の効果】
【０００７】    災害時に負傷者あるいは歩行困難者を安全に且つ負担を与えずに、数キロ先の医療機関や避難所まで比較的容易に搬送することができる。車輪が使えない場所では、最上段だけを外して担架として活用できる。また、非常用品などの運搬用台車として利用できる。
平常時には、物を乗せる什器やテーブルとして、あるいは重量物運搬台車として活用できる。
更に、災害時などにビル内のエレベータが昇降運転機能を停止したとき、この搬送台車が３つの部分に容易に分割できる設計となっているため、階段を使って比較的容易に運ぶことができる。
【他の実施形態】
【０００８】    キャスターをゴムから、ゼロプレッシャータイヤに換えることにより車輪の柔軟性が増し、被搬送者の負担を更に和らげることが可能である。
【図面の簡単な説明】
【０００９】
【図１】従来技術を示す斜視図（一般的な担架）
【図２】従来技術を示す斜視図（救急医療用ストレッチャー）
【図３】この考案の一実施形態を示す斜視図
【符号の説明】
【００１０】  １  最上段          単独に担架として使用可、収納時二つ折り可
２  落下防止枠      担架の移動時に持ち手として使用可、収納時取り外す
３  中間構造        上下連結用台、荷物収納可
４  最下段          車輪付き台車
５  自在キャスター  車輪直径２００ｍｍ、一方２輪にストッパー付き
６  搬送者用持ち手
【図１】
0003134571.tif 000003
【図２】
0003134571.tif 000004
【図３】
0003134571.tif 000005
【手続補正書】
【提出日】平成19年1月16日(2007.1.16)
【手続補正１】
【補正対象書類名】実用新案登録請求の範囲
【補正対象項目名】全文
【補正方法】変更
【補正の内容】
【実用新案登録請求の範囲】
【請求項１】
車輪付きの台車部と、前記台車の上部に着脱可能な（荷物収容可能な）中間構造部と、前記中間構造部の上部に着脱可能な担架とからなる搬送装置。
【請求項２】
前記車輪付きの台車部は、重量物の搬送可能としてあることを特徴とする「請求項１」に記載の搬送装置。
【手続補正書】
【提出日】平成19年5月10日(2007.5.10)
【手続補正１】
【補正対象書類名】実用新案登録請求の範囲
【補正対象項目名】全文
【補正方法】変更
【補正の内容】
【実用新案登録請求の範囲】
【請求項１】
車輪付きの台車部と、前記台車の上部に着脱可能な中間構造部と、前記中間構造部の上部に着脱可能な担架とからなる搬送装置。
【請求項２】
車輪付きの台車部は、重量物搬送用のやや大きめな車輪直径をもつキャスター４個を、同様に重量物に耐えうる堅固なアルミ材の枠に取り付けた請求項１に記載の搬送装置。
(57)【要約】【課題】  ギター弦により指、手等が傷つくことを防止する。【解決手段】  ゴム製キャップをギター弦の先に装着することにより直接ギター弦の先が、指、手等に触れないようにする。【選択図】図２
0003134568.tif 000002
【実用新案登録請求の範囲】
【請求項１】
ギター弦を巻き取り器具１に巻き、その先に装着するゴム製のキャップ２。
【考案の詳細な説明】
【考案の詳細な説明】
【考案が解決しようとする課題】
【０００１】  ギターをケースに収納する時にギター弦の先が鋭利な為に、指、手等を傷つけてしまうという問題点があった。
【課題を解決するための手段】
【０００２】  ギター弦の先にゴム製のキャップを装着することにより指、手等が傷つくことを防止する。
【考案の効果】
【０００３】  ギター弦の先が、指、手等に触れたとしてもギター弦の先にゴム製キャップを装着してあるので、直接弦の先が指、手等に触れなく、傷を負うことがなくなる。
【図面の簡単な説明】
【図１】  キャップの斜視図
【図２】  ギター弦にキャップを装着した断面図
【図３】  キャップの断面図
【符号の説明】
１  ギター弦
２  キャップ
３  装着図
【図１】
0003134568.tif 000003
【図２】
0003134568.tif 000004
【図３】
0003134568.tif 000005
【手続補正書】
【提出日】平成18年7月19日(2006.7.19)
【手続補正１】
【補正対象書類名】実用新案登録請求の範囲
【補正対象項目名】全文
【補正方法】変更
【補正の内容】
【実用新案登録請求の範囲】
【請求項１】
ギタ−弦を巻き取り器具１に巻き、その先端にゴム製キャップ２を装着する。ゴム製キャップは円筒形に限らず玩具，菓子，果物等の物品を形どったものでもよく、その一部分に直径約１ミリメートル奥行き約１０ミリメートル程度の穴があいておりそこにギタ−弦を挿入するという構造を有する傷害防止器具。
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
ギターの巻き取り器具に巻き付けられたギター弦の先端に装着される傷害防止器具であって、キャップからなり、当該キャップ内に形成された穴に前記ギター弦の先端が挿入されることにより前記ギター弦の先端に覆い被さることを特徴とする傷害防止器具。
【請求項２】
前記穴の開口が前記キャップの長手方向の一端部に形成され、前記穴が前記キャップの長手方向の一端部から前記キャップの長手方向の他端部に向けて延長し、当該他端部が前記一端部よりも大きく膨出した外形を有しており、当該他端部内には前記穴が延設されていないことを特徴とする請求項１に記載の傷害防止器具。
【手続補正２】
【補正対象書類名】明細書
【補正対象項目名】全文
【補正方法】変更
【補正の内容】
【考案の詳細な説明】
【技術分野】
【０００１】本考案は、ギター弦に装着される傷害防止器具に関する。
【背景技術】
【０００２】ギターの巻き取り器具に巻き付けられたギター弦の先端は、該巻き取り器具から突き出している。
【考案の開示】
【考案が解決しようとする課題】
【０００３】ギターをケースに収納する時に、ギター弦の先端が鋭利なため、手、指等を傷つけてしまうという問題点があった。【０００４】本考案は、上述した問題点に鑑みてなされたものであり、その目的は、ギターの巻き取り器具に巻き付けられたギター弦の先端が手、指等に傷を負わすことを防止するための傷害防止器具を提供することにある。
【課題を解決するための手段】
【０００５】前述した目的を達成するため、本考案に係る傷害防止器具は、ギターの巻き取り器具に巻き付けられたギター弦の先端に装着される傷害防止器具であって、キャップからなり、当該キャップ内に形成された穴に前記ギター弦の先端が挿入されることにより前記ギター弦の先端に覆い被さることを特徴としている。【０００６】また、前記穴の開口が前記キャップの長手方向の一端部に形成され、前記穴が前記キャップの長手方向の一端部から前記キャップの長手方向の他端部に向けて延長し、当該他端部が前記一端部よりも大きく膨出した外形を有しており、当該他端部内には前記穴が延設されていないことを特徴としている。
【考案の効果】
【０００７】本考案の傷害防止器具は、ギターの巻き取り器具に巻き付けられたギター弦の先端に装着されれば、ギター弦の先端が直接、手、指等に触れないので、そのギター弦の先端によって手、指等が傷を負わされることが防止される。
【考案を実施するための最良の形態】
【０００８】本考案に係る傷害防止器具の一実施形態であるキャップ２はゴム製である。図１に示されるように、ギターの巻き取り器具１に巻き付けられたギター弦の先端は、巻き取り器具１から突き出している。当該ギター弦の先端に、図２に示されるようにキャップ２が装着される。【０００９】図２から明らかなように、キャップ２は、該キャップ２内に形成された穴３にギター弦の先端が挿入されることにより、ギター弦の先端に覆い被さる。また、図２から明らかなように、穴３の開口がキャップ２の長手方向の一端部に形成されている。また、図２および図３から明らかなようにキャップ２の長手方向の一端部の外周は円形を有している。【００１０】また、図２から明らかなように、穴３がキャップ２の長手方向の一端部からキャップ２の長手方向の他端部に向けて延長している。また、図２から明らかなように、キャップ２の長手方向の他端部は、キャップ２の長手方向の一端部よりも大きく膨出した外形を有しており、当該外形には円形を有している。さらに、図２から明らかなように、キャップ２の長手方向の他端部には穴３は延設されていない。【００１１】このように、キャップ２はその長手方向の一端部と他端部とからなる。そして図２および図３から明らかなように、穴３はキャップ２の長手方向の一端部から他端部に向かって先細りするように形成されている。
【図面の簡単な説明】
【００１２】
【図１】ギター弦が巻きつけられたギターの巻き取り器具１およびキャップ２を示す平面図である。
【図２】ギター弦の先端に装着されたキャップ２内の穴３および該穴３に挿入されたギター弦の先端を点線で示す透視図である。
【図３】キャップ２の断面図である。
【符号の説明】
【００１３】１  ギターの巻き取り器具２  キャップ３  キャップ２の穴
(57)【要約】【目的】岩盤浴ベッドを衛生的に保てるようにし、設置をより簡単に行うことが出来るようにするために、岩盤浴ベットを分割式にする。更に、照明器具の利用範囲を広げ、従来よりも多様な視覚的効果を行えるようにする。【構成】組み立て式のフレーム（Ａ）の上に、枠（Ｂ）を載せ、その中に、断熱材（Ｃ）とヒーター（Ｄ）を置き、岩盤（Ｅ）を載せる。このような構造にし、岩盤浴ベッドの構成部品を細分化し、現場で組み立て完成させる。更に、枠（Ｂ）に照明器具を設置する。【選択図】図１
0003134570.tif 000002
【実用新案登録請求の範囲】
【請求項１】
岩盤浴を目的とした岩盤を使用するベッドにおいて、フレーム（Ａ）、枠（Ｂ）、断熱材（Ｃ）、ヒーター（Ｄ）、岩盤（Ｅ）で構成された、分解、組み立てが可能な岩盤浴ベッド。
【請求項２】
枠（Ｂ）に照明器具を設置し、岩盤（Ｅ）の側面や裏側より岩盤（Ｅ）に光を当てることにより視覚的効果の得られる請求項１の岩盤浴ベッド。
【考案の詳細な説明】
【考案の明細な説明】
【産業上の利用分野】
【０００１】本考案は、岩盤浴に関するものである。
【背景技術】
【０００２】一般的な岩盤欲の施設は、床に岩盤を敷き詰められており、その上に人が寝ることにより岩盤浴を実施する方法を取っている。
しかし、この方法では、岩盤に雑菌やカビなどが生えることが多く、しかも洗浄も用意ではないので、非常に不衛生である。
また、岩盤を温度管理するためのヒーターを埋め込み、更に岩盤を敷き詰めなければならないため、大掛かりな工事を必要とし莫大な費用がかかった。
そこで、岩盤を敷き詰めるのではなく、岩盤を用いたベッドを設置し、そこに人が寝ることで岩盤浴を実施できるものが考案されたが、確かに岩盤を敷き詰めるものに比べてコストを削減で切るが、目地や岩盤自体に雑菌やカビが生えることがあるし、岩盤を設置したベッドそのものの重量がかさみ、設置や移動が大変だった。
また、岩盤浴をリラックスして行うために照明などを利用し、視覚的効果を使って雰囲気作りをする場合、ほとんどの場合、照明器具で岩盤を直接、または間接的に照らすことによって行うしかなく、特徴的な視覚的効果ができなかった。
【発明が解決しようとする課題】
【０００３】本考案が解決しようとする課題は、岩盤浴ベッドを衛生的に保てるようにし、設置をより簡単に行うことが出来るようにすることと、照明器具の利用範囲を広げ、従来よりも多様な視覚的効果を行えるようにすることである。
【課題を解決するための手段】
【０００４】組み立て式のフレーム（Ａ）の上に、枠（Ｂ）を載せ、その中に、断熱材（Ｃ）とヒーター（Ｄ）を置き、岩盤（Ｅ）を載せる。
このような構造にし、岩盤浴ベッドの構成部品を細分化し、現場で組み立て完成させる。
更に、枠（Ｂ）に照明器具を設置する。
【作用】
【０００５】フレーム（Ａ）は、岩盤（Ｅ）の重量を支えるのに十分な強度のあるもになっている。
その上に枠（Ｂ）を載せることで、突起（Ｇ）がフレーム（Ａ）にはまり込み、しっかりとした土台になる。
枠（Ｂ）の内側に断熱材（Ｃ）とヒーター（Ｄ）を載せ、その上に岩盤を敷き詰める。
枠（Ｂ）には照明器具を設置し、岩盤（Ｅ）の側面や裏側から照らすようにする。
【実施例】
【０００６】岩盤（Ｅ）は、数枚に分割して敷き詰めることで、実質的な重量を分散できるので、本考案の効果を更に高めることが出来る。
岩盤（Ｅ）の材質を水晶など光が透過するものにして、枠（Ｂ）に照明器具（Ｆ）を設置することで、岩盤を裏面や側面から照らすことができ、視覚的効果を演出することが出来る。
更に、照明器具（Ｆ）を紫外線が照射できるものにすれば、岩盤（Ｅ）や枠（Ｂ）などを殺菌でき衛生的である。
【発明の効果】
【０００７】岩盤浴ベッドの構成部品を細分化し、現場で組み立てる方式にすることで、実際に運ぶものの重量や大きさを細分化できるため、現場へ運び込む際の手間が軽減できるばかりでなく、大掛かりな用意も必要としないので、経費も節約でき、経済的である。
更に、岩盤を取り外して洗浄したり、枠を取り外したりして洗浄することが出来るので、雑菌やカビの繁殖を抑えることができ、大変衛生的である。
【図面の簡単な説明】
【図１】分割式岩盤浴ベッドの側面図  Ａ．  フレーム  Ｂ．  枠  Ｃ．  断熱材  Ｄ．  ヒーター  Ｅ．  岩盤
【図２】分割式岩盤浴ベッドの断面図  Ｆ．  照明器具  Ｇ．  枠の位置決めと補強のためにフレームにはまる突起
【図１】
0003134570.tif 000003
【図２】
0003134570.tif 000004
【手続補正書】
【提出日】平成19年1月25日(2007.1.25)
【手続補正１】
【補正対象書類名】実用新案登録請求の範囲
【補正対象項目名】全文
【補正方法】変更
【補正の内容】
【実用新案登録請求の範囲】
【請求項１】
組み立て式のフレーム（Ａ）の上に、枠（Ｂ）を載せ、その中に、断熱材（Ｃ）とヒーター（Ｄ）を置き、岩盤（Ｅ）を載せる。
このような構造に、ベッドの構成部品を細分化し、現場で組み立て完成させることが出来る、岩盤浴を目的とした岩盤浴ベッド。
【請求項２】
請求項１の枠（Ｂ）に照明器具を設置することで、視覚的効果の得られる岩盤浴ベッド。
【手続補正書】
【提出日】平成19年5月22日(2007.5.22)
【手続補正１】
【補正対象書類名】実用新案登録請求の範囲
【補正対象項目名】全文
【補正方法】変更
【補正の内容】
【実用新案登録請求の範囲】
【請求項１】
組み立て式のフレーム（Ａ）の上に、枠（Ｂ）を載せ、その中に、断熱材（Ｃ）とヒーター（Ｄ）を置き、岩盤（Ｅ）を載せる構造の、現場で組み立て完成させることが出来る、岩盤浴を目的とした岩盤浴ベッド。
【請求項２】
枠（Ｂ）に照明器具を設置することで視覚的効果の得られる、請求項１に記載の岩盤浴ベッド。
(57)【要約】【課題】  浴室でシャワーを使用する際、シャワーの近くに配置でき、しかもシャワーを使用する際、石鹸が容易に取り出しやすく、石鹸の滴が十分に切れていて乾いた清潔な石鹸が使用でき、設置スペースを取らない石鹸立てを提供することを目的とする。【解決手段】  逆円錐扁平筒体状の石鹸収納部と、壁面取付部とよりなり、石鹸収納部の扁平筒体は壁面からの垂直距離より壁面からの水平距離を長く設定し、扁平筒体の外側中央に立て方向の長孔を設け、長孔の下部は扁平筒体の底部で排出孔とし、壁面取付部には吸盤を取付けるようにした石鹸立てである。【選択図】  図４
0003134537.tif 000002
【実用新案登録請求の範囲】
【請求項１】
逆円錐扁平筒体状の石鹸収納部と、壁面取付部とよりなり、石鹸収納部の扁平筒体は壁面からの垂直距離より壁面からの水平距離を長く設定し、扁平筒体の外側中央に立て方向の長孔を設け、長孔の下部は扁平筒体の底部で排出孔とし、壁面取付部には吸盤を取付けるようにした石鹸立て。
【考案の詳細な説明】
【技術分野】
【０００１】
本考案は、石鹸を立てて入れる石鹸立てに関するものである。
【背景技術】
【０００２】
従来、浴室で使用されている石鹸受けは、シャワーから離れた箇所に置かれていて、シャワーを使用する際、石鹸が使いにくい。また、従来の石鹸受けに載せられた石鹸は取り出しにくい。
【０００３】
さらに、従来の石鹸受けは、使用した際の石鹸の滴が十分に切れておらず、滴により石鹸はぬるぬるした状態で、乾いた清潔な石鹸の使用ができず、その上、狭い浴室で使用するには設置スペースを取らない配慮が十分されなければならない。
【特許文献１】特開２００４−００８７５８号公報
【考案の開示】
【考案が解決しようとする課題】
【０００４】
浴室でシャワーを使用する際、シャワーの近くに配置でき、しかもシャワーを使用する際、石鹸が容易に取り出しやすく、石鹸の滴が十分に切れていて乾いた清潔な石鹸が使用でき、設置スペースを取らない石鹸立ての提供が待たれている。
【課題を解決するための手段】
【０００５】
本考案は、上記の事情に鑑み、浴室でシャワーを使用する際、シャワーの近くに配置でき、しかもシャワーを使用する際、石鹸が容易に取り出しやすく、石鹸の滴が十分に切れていて乾いた清潔な石鹸が使用でき、設置スペースを取らない石鹸立てを提供すべく、逆円錐扁平筒体状の石鹸収納部と、壁面取付部とよりなり、石鹸収納部の扁平筒体は壁面からの垂直距離より壁面からの水平距離を長く設定し、扁平筒体の外側中央に立て方向の長孔を設け、長孔の下部は扁平筒体の底部で排出孔とし、壁面取付部には吸盤を取付けるようにした石鹸立てとした。
【考案の効果】
【０００６】
本考案は、逆円錐扁平筒体状の石鹸収納部と、壁面取付部とよりなり、石鹸収納部の扁平筒体は壁面からの垂直距離より壁面からの水平距離を長く設定し、扁平筒体の外側中央に立て方向の長孔を設け、長孔の下部は扁平筒体の底部で排出孔とし、壁面取付部には吸盤を取付けるようにした石鹸立てであるので、浴室でシャワーを使用する際、シャワーの近くに配置でき、しかもシャワーを使用する際、石鹸が容易に取り出しやすく、石鹸の滴が十分に切れていて乾いた清潔な石鹸が使用でき、設置スペースを取らない石鹸立てとすることができる。
【考案を実施するための最良の形態】
【０００７】
本考案を、添付する図面に示す具体的な実施例に基づいて、以下詳細に説明する。
【０００８】
図１は本考案の石鹸立ての正面図、図２は本考案の石鹸立ての右側面図、図３は本考案の石鹸立ての平面図である。
【０００９】
本考案は、逆円錐扁平筒体状の石鹸収納部と、壁面取付部とよりなり、石鹸収納部の扁平筒体は壁面からの垂直距離より壁面からの水平距離を長く設定し、扁平筒体の外側中央に立て方向の長孔を設け、長孔の下部は扁平筒体の底部で排出孔とし、壁面取付部には吸盤を取付けるようにした石鹸立てである。
【００１０】
石鹸立ては、逆円錐扁平筒体状の石鹸収納部１と、壁面取付部２とよりなり、石鹸収納部１の扁平筒体３は壁面からの垂直距離Ｌ1 より壁面からの水平距離Ｌ2 を長く設定し、扁平筒体３の外側中央に立て方向の長孔４を設け、長孔４の下部は扁平筒体３の底部で排出孔５とし、壁面取付部２には吸盤６を取付けてなる。本考案の石鹸立ては、吸盤６を除いた石鹸収納部１と壁面取付部２は一枚の透光性素材で構成する。
【００１１】
石鹸収納部１は、逆円錐筒体状の扁平筒体３で、外側中央には上部から下部を経て底部に至り、底部を排出孔５とする。使用した石鹸の滴は排出孔５・長孔４より排出される。      
【００１２】
この石鹸立ては、狭い浴室で設置スペースを取らないように扁平に形成してある。
【００１３】
壁面からの垂直距離をＬ1 、壁面からの水平距離をＬ2 とすると、Ｌ1 ＜Ｌ2 となるように設定する。本実施例では、Ｌ1 ／Ｌ2 ＝０．６５１であった。この事は、特に狭いシャワー室内での使用には有効である。
【００１４】
石鹸７を石鹸収納部１に載置した状態の前記図１，図２，図３を、図４，図５，図６として図示する。
【００１５】
石鹸収納部１の扁平筒体３の下端部角度θが９０°以下に設定してあるので、石鹸７の外周の長辺８と短辺９は直角で交わるように製作されており、石鹸７を扁平筒体３に載置した際、石鹸７の短辺９は扁平筒体３の内面と接触しないので、石鹸７の滴切れが良い。      
【００１６】
一方、図示から分かるように、扁平筒体３に載置した石鹸７は、その上部においては扁平筒体３の内面とは全く接触していないので、扁平筒体３からの石鹸７は容易に取り出すことができる。
【００１７】
壁面取付部２には、ダルマ状孔１０を介して吸盤６が設けてあり、取付け取り外しが自在である。
【実施例１】
【００１８】
石鹸立ての大きさは、７３ｍｍ×１００ｍｍ、高さ１０３ｍｍである。
【産業上の利用可能性】
【００１９】
本考案は、石鹸の水切りに使用できるが、スポンジや束子の水切りにも利用できる。
【図面の簡単な説明】
【００２０】
【図１】本考案の石鹸立ての正面図である。
【図２】本考案の石鹸立ての右側面図である。
【図３】本考案の石鹸立ての平面図である。
【図４】本考案の石鹸立てに石鹸を立てた状態の正面図である。
【図５】本考案の石鹸立てに石鹸を立てた状態の右側面図である。
【図６】本考案の石鹸立てに石鹸を立てた状態の平面図である。
【符号の説明】
【００２１】
１…石鹸収納部
２…壁面取付部
３…扁平筒体
４…長孔
５…排出孔
６…吸盤
７…石鹸
【図１】
0003134537.tif 000003
【図２】
0003134537.tif 000004
【図３】
0003134537.tif 000005
【図４】
0003134537.tif 000006
【図５】
0003134537.tif 000007
【図６】
0003134537.tif 000008
(57)【要約】【課題】運転者が携帯電話機を携帯していないときには自動車のエンジンが始動しないようにすることにより、携帯電話機の置き忘れ等による不携帯を防止するようにした携帯電話機忘れ防止装置を提供する。【解決手段】携帯電話機に備えさせた送信装置３と、自動車に備えさせた受信装置７とよりなり、該送信装置は、所定のＩＤコードを含む送信信号を送信する送信手段９を備え、該受信装置は、該送信信号を受信する受信手段１５と、該送信信号のＩＤコードと予め設定されたＩＤコードとを比較し、それらのＩＤコードが相互に一致したときにエンジンを始動待機状態にさせる指令手段１７とを備えていることを特徴とする携帯電話機忘れ防止装置。【選択図】図１
0003134094.tif 000002
【実用新案登録請求の範囲】
【請求項１】
携帯電話機に備えさせた送信装置と、自動車に備えさせた受信装置とよりなり、
該送信装置は、所定のＩＤコードを含む送信信号を送信する送信手段を備え、
該受信装置は、該送信信号を受信する受信手段と、該送信信号のＩＤコードと予め設定されたＩＤコードとを比較し、それらのＩＤコードが相互に一致したときにエンジンを始動待機状態にさせる指令手段とを備えていることを特徴とする携帯電話機忘れ防止装置。
【考案の詳細な説明】
【技術分野】
【０００１】
本考案は、携帯電話機忘れ防止装置に関するものであり、更に詳しくは、運転者が携帯電話機を携帯していないときには自動車のエンジンが始動しないようにすることにより、携帯電話機の置き忘れ等による不携帯を防止するようにした携帯電話機忘れ防止装置に係るものである。
【背景技術】
【０００２】
特開平１０−２１１８６８号公報は、乗車前にエンジンを始動させ、冷暖房装置により自動車内を適温にしておくためのリモート・エンジン・スタータ・システムを開示している。
【０００３】
このリモート・エンジン・スタータ・システムは、自動車の運転者が携帯する小型無線通信機と自動車に備えさせた処理装置とよりなり、運転者は例えば家屋内から小型無線通信機により遠隔操作にて処理装置を介して自動車のエンジン始動を指示するようにしたものである。
【特許文献１】特開平１０−２１１８６８号公報
【考案の開示】
【考案が解決しようとする課題】
【０００４】
携帯電話機が一般に普及している今日、自動車の運転者においても常時携帯電話機を携帯する必要がある。
【０００５】
しかるに、自動車の運転者も携帯電話機を自宅、訪問先などに置き忘れて自動車に乗ってしまうことが往々にしてあり得る。近年、公衆電話機の設置台数が極めて限られているという事情もあり、携帯電話機を携帯していないときには出先で不便、不都合を生ずることが多い。
【０００６】
このような状況に鑑み、本考案は、運転者が携帯電話機を携帯していないときには自動車のエンジンが始動しないようにすることにより、携帯電話機の置き忘れ等による不携帯を防止するようにした携帯電話機忘れ防止装置を提供しようとしてなされたものである。
【課題を解決するための手段】
【０００７】
上記課題を解決するために、本考案は、下記の携帯電話機忘れ防止装置を提供する。
【０００８】
携帯電話機に備えさせた送信装置と、自動車に備えさせた受信装置とよりなり、
該送信装置は、所定のＩＤコードを含む送信信号を送信する送信手段を備え、
該受信装置は、該送信信号を受信する受信手段と、該送信信号のＩＤコードと予め設定されたＩＤコードとを比較し、それらのＩＤコードが相互に一致したときにエンジンを始動待機状態にさせる指令手段とを備えていることを特徴とする携帯電話機忘れ防止装置。
【考案の効果】
【０００９】
本考案によれば、自動車の運転者が携帯電話機を携帯した状態で自動車に乗車したときには、送信装置の送信手段が所定のＩＤコードを含む送信信号を送信し、受信装置の受信手段が該送信信号を受信し、該ＩＤコードと予め設定されたＩＤコードとを比較し、それらのＩＤコードが相互に一致したときに指令手段にエンジンを始動待機状態にさせるようにしたため、運転者が自動車のスタートボタンを押し又はキーをキー穴に挿入して回動させる等の始動操作を行うことによりエンジンを始動させることができる。
【００１０】
一方、自動車の運転者が携帯電話機を携帯していない状態で自動車に乗車したときには、送信装置に送信信号を送信させることができないため、自動車の受信装置は指令手段にエンジンを始動待機状態にさせることができない。したがって、運転者が自動車のスタートボタンを押し又はキーをキー穴に挿入して回動させる等の始動操作を行っても、エンジンを始動させることができない。このことにより、運転者は、携帯電話機を携帯していないことに気付く。その結果、運転者が携帯電話機を自宅、訪問先などに置き忘れたまま、自動車を走行させることが確実に防止される。
【考案を実施するための最良の形態】
【００１１】
本考案による携帯電話機忘れ防止装置は、携帯電話機１に備えさせた送信装置３と、自動車５に備えさせた受信装置７とよりなる。
【００１２】
携帯電話機１に備えさせた送信装置３は、所定のＩＤコードを含む送信信号を送信する送信手段９を備えている。
【００１３】
送信手段９は、マイクロコンピュータ１１と送信回路１３とを備えている。
【００１４】
自動車５に備えさせた受信装置７は、送信手段９から送信された所定のＩＤコードを含む送信信号を受信する受信手段１５と、該送信信号のＩＤコードと予め設定されたＩＤコードとを比較し、それらのＩＤコードが相互に一致したときにエンジンを始動待機状態にさせる指令手段１７とを備えている。受信手段１５は、受信回路を備えている。
【００１５】
指令手段１７は、マイクロコンピュータを備え、該マイクロコンピュータにより、送信手段９から送信された送信信号のＩＤコードと予め設定されたＩＤコードとを比較させ、それらのＩＤコードが相互に一致したときにエンジン始動待機装置１９に対し許可信号を出力させる。エンジン始動待機装置１９は、該許可信号を受けたときに、エンジンを始動待機状態にさせる。すなわち、エンジンが始動待機状態にあるときには、運転者が自動車のスタートボタンを押し又はキーをキー穴に挿入して回動させる等の始動操作を行うことによりエンジンを始動させることができる。
【００１６】
なお、自動車５に備えさせた適宜のスイッチ（図示せず。）を操作することにより、携帯電話機忘れ防止装置を作動しない状態、すなわち「ＯＦＦ」の状態、にすることも可能である。
【図面の簡単な説明】
【００１７】
【図１】本考案による携帯電話機忘れ防止装置の構成の一例を示すブロック図である。
【図２】携帯電話機と送信手段とを示す斜視図である。
【図３】自動車と受信装置とを示す側面図である。
【符号の説明】
【００１８】
１  携帯電話機
３  送信装置
５  自動車
７  受信装置
９  送信手段
１１  マイクロコンピュータ
１３  送信回路
１５  受信手段
１７  指令手段
１９  エンジン始動待機装置
【図１】
0003134094.tif 000003
【図２】
0003134094.tif 000004
【図３】
0003134094.tif 000005
(57)【要約】【課題】ハンディ振動器により大きなローリング力を提供し、広いロール幅を得て貼付けを行うことができる被覆体の貼付け装置を提供する。【解決手段】被覆体の貼付け装置であり、ローラーヘッド４０及びハンディ振動器５０ａを含む。ローラーヘッド４０には、ローラー４１ａが支柱４２に組み付けられ、支柱４２には第1ジョイント４３がある。ハンディ振動器５０ａには、ローラーヘッド４０の第一ジョイント４３に相対し互いに接ぎ合わさる第二ジョイント５１がある。ハンディ振動器５０ａの動力により、継ぎ合わせた後のローラーヘッド４０に伸縮振動を生じさせる。【選択図】図６
0003134081.tif 000002
【実用新案登録請求の範囲】
【請求項１】
被覆体の貼付け装置であり、
ローラーヘッドには、ローラーが支柱に組み付けられ、支柱には第1ジョイントがあり、
ハンディ振動器は、当該ローラーヘッドの第一ジョイントに相対し、互いに接ぎ合わさる第二ジョイントがあり、動力により継ぎ合わせた後のローラーヘッドに伸縮振動を生じさせることを特徴とする被覆体の貼付け装置である。
【請求項２】
当該ローラーのロール面は平ら又は環状の溝状であることを特徴とする請求項１に記載の被覆体の貼付け装置である。
【請求項３】
当該ハンディ振動器が必要とする動力は電源又は気圧源により提供されることを特徴とする請求項１または請求項２に記載の被覆体の貼付け装置である。
【考案の詳細な説明】
【技術分野】
【０００１】
本考案は、被覆体の貼付け装置に関するものであり、特にハンディ振動器により大きなローリング力を提供し、広いロール幅を得て貼付けを行うことができる設計のものを指す。
【背景技術】
【０００２】
化学工業の各種タンク、配管又はセメントタンク等の設備は、その使用目的及び環境に応じて、防錆、耐酸、耐アルカリ又は耐磨耗等の処理を行わなければならず、これにより設備の信頼度を確保する。また、一般には図１に示すように、被覆体１０ひとつを設備２０の処理待ち面に貼り付け、設備２０をあますことなく防錆、耐酸、耐アルカリ又は耐磨耗等の目的に達しせしめる。ここでの被覆体１０には次を含む。ゴム、合成樹脂、ＰＶＣもしくはフッ素樹脂等のうちのいずれかの材質又はその混合により形成される。
次に、被覆体１０の従来の貼付け方式は、図２に示すように、人の手でローラー器具３０を握りローラーを往復させ、被覆体１０を設備２０の処理待ち面に貼り付けるが、もしローラーが確実でなく図３に示すような貼付け隙間ｄを形成してしまえば、設備２０の保護の効果を減らす。また、人の手によるローラーの力は限られているため、従来のローラー器具３０のローラー３１の幅は非常に狭く、ようやく不足しない程度のローリング力を得ることができるくらいである。別の角度から言えば、従来のローラー器具３０では毎回のローラー面積が非常に小さく、被覆体１０を設備２０に貼り付ける効率が極めて劣る。
【考案の開示】
【考案が解決しようとする課題】
【０００３】
本考案の主要な目的は、従来の技術では被覆体の貼付け効率が不足しているという問題を解決するところにあり、被覆体貼付け効率及び密着度の向上という効果を有する。
【課題を解決するための手段】
【０００４】
上述の効果に達するため、本考案の構造の特徴には、ローラーヘッドを含む。ハンディ振動器は、当該ローラーヘッドをつなぐのに供され、その上ローラーヘッドのローラーに動力により伸縮振動を生じさせる。
【考案を実施するための最良の形態】
【０００５】
まず、図４〜図７を参照する。本実施例には次を含む。
ローラーヘッド４０は、適当な広さを有するローラー４１ａ又は４１ｂを支柱４２に取り付け、その上支柱４２にはすばやくつなぎ合わせるのに用いる第１ジョイント４３を形成し、当該ローラー４１ａのローラー面を平らにしたり（図４に示すとおり）、又は当該ローラー４１ｂのローラー面を環状溝状（図５に示すとおり）にしたりする。ハンディ振動器（図６の５０ａ又は図７に示す５０ｂ）は、当該ローラーヘッド４０の第１ジョイント４３に相対し、互いにつなぎ合う第２ジョイント５１を形成し、その上つないだ後のローラーヘッド４０に動力により伸縮振動を生じさせ、必要な動力は電源又は気圧源により提供する。
【０００６】
以上のような構造に基づき、被覆体１０を設備２０に貼付ける者は、ハンディ振動器（５０ａ又は５０ｂ）を握り、操作スイッチ５２により電源又は気圧源の動力を制御し供給することで、ローラーヘッド４０に伸縮振動の動作を生じさせ、被覆体１０を確実に設備２０の処理待ち面に貼付ける。このうち、本実施例では電源又は気圧源により必要な動力を提供しているため、従来の人の手によるローラーに比べて大きなローラー（貼付け）効能を生じ、これにより貼付けを行うのに用い、広いローラー幅で貼付けを行うことができる。これにより、被覆ゴムの貼付け効率を向上させる効能を有する。
【図面の簡単な説明】
【０００７】
【図１】設備の処理待ち面に被覆体を貼付けた状態を示す説明図である。
【図２】従来のローラー器具により被覆体を貼付けする状態を示す説明図である。
【図３】不確実なローラー貼付けにより被覆体に隙間ができた状態を示す説明図である。
【図４】本考案の一実施例における被覆体の貼付け装置のローラーヘッドを示す斜視図である。
【図５】本考案の一実施例における被覆体の貼付け装置のローラーヘッドを示す斜視図である。
【図６】本考案の一実施例における被覆体の貼付け装置を示す説明図である。
【図７】本考案の一実施例における被覆体の貼付け装置を示す説明図である。
【符号の説明】
【０００８】
１０：被覆体、２０：設備、３０：ローラー器具、４０：ローラーヘッド、４１ａ：ローラー、４１ｂ：ローラー、４２：支柱、４３：第１ジョイント、５０ａ：ハンディ振動器、５０ｂ：ハンディ振動器、５１：第２ジョイント、５２：操作スイッチ、ｄ：貼付け隙間
【図１】
0003134081.tif 000003
【図２】
0003134081.tif 000004
【図３】
0003134081.tif 000005
【図４】
0003134081.tif 000006
【図５】
0003134081.tif 000007
【図６】
0003134081.tif 000008
【図７】
0003134081.tif 000009
(57)【要約】      （修正有）【課題】チラシおくりの負荷が動力を伝える車と、従車のところに集中して、チラシ重ねにもぐってしまってチラシおくりが走れないことを防止し、負荷が分散されて、チラシ重ねのでこぼこに合わせて動くゆれが伝わりにくいチラシおくりデバイスを提供する。【解決手段】動力を伝える歯車２、と従車３、そしてクローラーの帯１、で構成したクローラーならチラシ重ねの創る荒れ紙質やワウ・フラッタの発生するチラシ状態を自由に負荷が分散されて、もぐらずにチラシおくりが進められるクローラー付きチラシおくりデバイスに関する。【選択図】図１
0003134056.tif 000002
【実用新案登録請求の範囲】
【請求項１】
動力を伝える歯車と従車とをクローラーの帯でクローラーを構成したクローラー付きチラシおくりデバイス。
【請求項２】
クローラーの帯の外側表面に４５度バイアスみぞを刻んだゴムかプラスチック又は金属板を有する事を特徴とする請求項１記載のクローラー付きチラシおくりデバイス。
【考案の詳細な説明】
【技術分野】
【０００１】
本考案は、従来のチラシおくりデバイスのマンマシンインターオペラビリティ向上を計ったクローラー付きチラシおくりデバイスに関する。
【背景技術】
【０００２】
チラシおくりデバイスは、チラシ紙同志のくっつきのさばきを作業者がチラシの底から高圧空気をブロワーする事により前処理して運用するツールである。
【考案の開示】
【考案が解決しようとする課題】
【０００３】
しかしながら、チラシおくりの負荷が動力を伝える車と従車のところに集中してチラシ重ねにもぐってしまって、チラシおくりが走れず、調整に作業者の熟練した調整オペレーションが必要であった。
【０００４】
本考案は上記実情に鑑みてなされたものであり、チラシ重ねの創る荒れ紙質やワウ・フラッタそして紙同志のくっつき、すべりにかかわらず前処理や調整のいらないマンマシンインターオペラビリティ向上を計ったチラシおくりデバイスとする事を目的としている。
【課題を解決するための手段】
【０００５】
上記目的を達成するため考案は、動力を伝える歯車と従車そしてクローラーの帯で構成したクローラーにより、チラシ重ねのチラシおくり負荷が分散されて、もぐらずにチラシおくりが走ることができチラシ重ねのでこぼこに合わせてクローラーが走る事ができるものである。
【考案の効果】
【０００６】
クローラー付きチラシおくりデバイスとすることにより、マンマシンインターオペラビリティ向上を計った省エネ（工数削減）と付属設備（ブロワーマシン）の削減ができる。
【考案を実施するための最良の形態】
【０００７】
本考案の実施の形態の一例について、図面を参照しながら説明する。
クローラー付きチラシおくりデバイスは、図１に示すように、動力部によりコネクティングロッド４、によりコネクティングロッドすりわり１２、により回転を伝え、コネクティングロッドチラシおくり負荷制御ばね１１、により水平方向加圧を制御します。動力を伝える外周歯車６、と動力を伝える内周歯車ベルト５、で動力を伝える歯車従車７、により動力を伝える歯車２、と回転軸を同じくするまさつ車９、とまさつ量制御部１０、を回転つまみ１３、制御によりちらしおくり負荷制御ばね（上給紙圧）８、で制御する。制御された動力を伝える歯車２、と従車３、をクローラーの帯（チラシおくり負荷制御）１、でクローラー付きチラシおくりデバイスを構成運用する。チラシおくり負荷制御リンク（下給紙圧）１４、はコネクティングロッド４、を回転中心に動力を伝える歯車２、の回転軸で創ったクローラーの帯１、の下給紙圧制御を行っている。チラシ重ね１５、に対してクローラーを構成する動力を伝える歯車２、と従車３、にチラシおくりの負荷が集中して売れなくなるところを、クローラーの帯１、で負荷を分散してもぐらずにチラシおくりを進めることができます。
【図面の簡単な説明】
【０００８】
【図１】本考案のクローラー付きチラシおくりデバイスを示す図である。
【符号の説明】
【０００９】
１．      クローラーの帯（チラシおくり負荷制御）
２．      動力を伝える歯車
３．      従車
・  コネクティングロッド
・  動力を伝える内周歯車ベルト
・  動力を伝える外周歯車
・  動力を伝える歯車従車
・  チラシおくり負荷制御ばね（上給紙圧）
・  まさつ車
１０．    まさつ量制御部
１１．    コネクティングロッドチラシおくり負荷制御ばね（水平方向加圧）
１２．    コネクティングロッドすりわり（回転方向）
１３．    回転つまみ
１４．    チラシおくり負荷制御リンク（下給紙圧）
１５．    チラシ重ね（給紙）
【図１】
0003134056.tif 000003
【手続補正書】
【提出日】平成19年5月22日(2007.5.22)
【手続補正１】
【補正対象書類名】明細書
【補正対象項目名】０００９
【補正方法】変更
【補正の内容】
【０００９】
１      クローラーの帯（チラシおくり負荷制御）
２      動力を伝える歯車
３      従車
４      コネクティングロッド
５      動力を伝える内周歯車ベルト
６      動力を伝える外周歯車
７      動力を伝える歯車従車
８      チラシおくり負荷制御ばね（上給紙圧）
９      まさつ車
１０    まさつ量制御部
１１    コネクティングロッドチラシおくり負荷制御ばね（水平方向加圧）
１２    コネクティングロッドすりわり（回転方向）
１３    回転つまみ
１４    チラシおくり負荷制御リンク（下給紙圧）
１５    チラシ重ね（給紙）
(57)【要約】      （修正有） 【課題】簡素で効率が良く、組み合わせからトルク増大設定ができて強力髭剃りも可能であり、電気モーターは出力が弱くても作動し、回転刃式だから低振動低騒音、回転円筒は軽いプラスチックスで成型製作が可能な回転刃式髭剃り機の提供。  【解決手段】L型断面の軽量長方形薄刃は切り込みバネの活用から外刃への適当圧力を造り出す。電気モーターの回転刃への動力伝達は並列接続だから効率が良く、三枚の平歯車の組み合わせからトルク増大設定ができ強力髭剃りが可能。【選択図】図１
0003134027.tif 000002
【実用新案登録請求の範囲】
【請求項１】
（１）回転円筒の中心から放射状位置に数個の細溝つき穴を軸方向に開け、L型断面の長方形薄刃を細溝と穴に挿入し回転させる。回転刃は半円形に固定した多孔面を持つ外刃内部を回転し接触面で髭を剃る。回転刃の折り曲げ両隅部分は切り込みを付けバネとして活用し弾性力で外刃に接触させる。
（２）電気モーターと回転刃は並列配置され、三枚の平歯車を介して動力を伝達する。
以上の構成からなる回転刃式髭剃り機。
【考案の詳細な説明】
【技術分野】
【０００１】
本考案は、髭剃り機に関するものである。
【背景技術】
【０００２】
髭剃り方法は大別して振動刃接触と回転刃接触がある。
【考案の開示】
【考案が解決しようとする課題】
【０００３】
振動刃式は十分な振幅がとり難く刃の劣化が早く強い振動と騒音が欠点である。回転刃式は滑らかで騒音が少ないが動力伝達用歯車が複雑で効率が悪く回転刃も高価になる欠点がある。
【課題を解決するための手段】
【０００４】
図１に示すように  回転円筒の中心から放射状位置に数個の細溝つき穴を軸方向に開け、L型断面の長方形薄刃を細溝と穴に挿入し回転させる。回転刃は半円形に固定した多孔面を持つ外刃内部を回転し接触面で髭を剃る。回転刃の折り曲げ両隅部分は切り込みを付けハの字型バネとして活用し弾性力で外刃に接触させる。
電気モーターと回転刃は図２に示すように並列配置され、三枚の平歯車を介して動力
を伝達する。
【考案の効果】
【０００５】
以上のように請求項１記載の考案によれば、L型断面の長方形薄刃は回転中、折り曲げ中央部分が引っ掛り遠心力で外に飛ばされない。折り曲げ両隅の切り込み部分はハの字型バネとして活用され、外刃に適当な圧力が掛かり、剃り能力を高めた。
電気モーターと回転刃の中心軸は並列配置し、三枚の平歯車で動力伝達するから簡素で効率が良く、組み合わせからトルク増大設定ができて強力髭剃りも可能。
電気モーターは出力が弱くても作動し、回転刃式だから低振動低騒音、回転円筒は軽いプラスチックスで成型製作が可能。  
【実施例】
【０００６】
図２に示す電気モーターに通電すると平歯車を介して回転力が回転円筒に伝わり回転刃と固定した外刃の半円形接触面で髭が剃られる。
【図面の簡単な説明】
【０００７】
【図１】回転刃の断面構造図。
【図２】電気モーター動力伝達構造図。
【符号の説明】
【０００８】
１  L型断面の長方形薄刃
２  回転刃に接触した半円形多孔面を持つ外刃
３  回転刃中心軸
４  回転刃折り曲げ部分のバネ弾性変位空間
５  三枚の組み合わせ平歯車
６  電気動力モーター
【図１】
0003134027.tif 000003
【図２】
0003134027.tif 000004